(57)【要約】【課題】水平に対して傾斜した屋根面上に設置され、屋根面上での作業の目的で使用される作業架台の屋根面上への設置時に屋根面に接合される側の端部の変形に対する安定性を高め、端部を位置決めをし易くする。【解決手段】並列する縦材２１、２１と縦材２１、２１を軸方向両側寄りにおいて互いにつなぐ縦つなぎ材２２、２３から方形状に組まれ、下側の縦つなぎ材２２が傾斜面５上に載置可能な縦枠体２と、並列する横材３１、３１と横材３１、３１を軸方向両側寄りにおいて互いにつなぐ横つなぎ材３２、３３から方形状に組まれ、一方の横つなぎ材３２が傾斜面５上に載置可能な横枠体３から作業架台１を構成し、横枠体３を横材３１、３１において縦枠体２の縦材２１、２１に水平軸回りに回転自在に連結する。【選択図】図１
2018096116.tif 000002
【特許請求の範囲】
【請求項１】
並列する縦材とこの縦材をその軸方向両側寄りにおいて互いにつなぐ縦つなぎ材から方形状に組まれ、下側の前記縦つなぎ材が傾斜面上に載置可能な縦枠体と、並列する横材とこの横材をその軸方向両側寄りにおいて互いにつなぐ横つなぎ材から方形状に組まれ、一方の前記横つなぎ材が傾斜面上に載置可能な横枠体とを備え、
前記横枠体は前記横材において前記縦枠体の前記縦材に水平軸回りに回転自在に連結されていることを特徴とする傾斜面用作業架台。
【請求項２】
前記縦枠体の前記縦材に、前記横枠体の前記横材が回転自在に連結されるための挿通孔が、前記縦材の軸方向に間隔を置いて複数個、形成されていることを特徴とする請求項１に記載の傾斜面用作業架台。
【請求項３】
前記横枠体の前記横材に、前記縦枠体の前記縦材が回転自在に連結されるための挿通孔が、前記横材の軸方向に間隔を置いて複数個、形成されていることを特徴とする請求項１、もしくは請求項２に記載の傾斜面用作業架台。
【請求項４】
前記縦枠体の前記下側の前記縦つなぎ材は前記縦枠体の前記並列する縦材より幅方向外側へ張り出し、前記横枠体の前記一方の前記横つなぎ材は前記横枠体の前記並列する横材より幅方向外側へ張り出していることを特徴とする請求項１乃至請求項３のいずれかに記載の傾斜面用作業架台。
【発明の詳細な説明】
【技術分野】
【０００１】
本発明は水平に対して傾斜した屋根面上等に設置され、屋根面上等での作業の目的で使用される傾斜面用作業架台に関するものである。
【背景技術】
【０００２】
水平に対して傾斜した、例えば既存の屋根面上において屋根葺き材、または周辺の外壁その他の部位の改修、補強等の作業をする場合、作業者が水平な床上で作業を遂行できるようにするには、作業床（足場）を水平に支持するための作業架台を傾斜した屋根面上に安定させた状態で設置する必要がある（特許文献１、２参照）。
【０００３】
作業架台は主に傾斜した屋根面上の、レベルの低い側に並列して載置される鉛直材と、鉛直材とレベルの高い側との間に架設される水平材を基本的な構成要素として持ち、並列する鉛直材間につなぎ材が架設されることにより鉛直材が互いに連結される。作業床は並列する水平材間に架設され、支持される（特許文献１、２）。
【先行技術文献】
【特許文献】
【０００４】
【特許文献１】特開平９−１１９２０４号公報（段落０００７〜００１１、図１、図２）
【特許文献２】実開平７−３４１２９号公報（段落００１３〜００１７、図１、図２）
【発明の概要】
【発明が解決しようとする課題】
【０００５】
特許文献１、２では屋根面のレベルの低い側（下流側）を向く水平材の端部は屋根面には接合されないことから、屋根面に接合される鉛直材に接合される。並列する鉛直材はつなぎ材に接合（連結）されているため、水平材の鉛直材側の端部の間隔は鉛直材とつなぎ材を介して保持される。これに対し、レベルの高い側（上流側）を向く水平材の端部は屋根面に接合可能であり、接合によって屋根面に拘束されることから、並列する水平材の端部は互いに繋がれていない。
【０００６】
すなわち、並列する水平材の屋根面に接合される側の端部間の間隔は保持されておらず、互いに拘束されていないため、その側の端部の位置は並列方向である水平方向、及び鉛直方向に安定せず、水平材の端部側が水平材の並列方向に変形し易い状態にある。このことから、作業架台の屋根面上への設置時に水平材の、屋根面に接合される側の端部が位置決めをしにくい状態にあるため、屋根面に接合される側の端部を屋根面に接合する前の時点では、屋根面への接合位置を特定することが容易ではない。
【０００７】
本発明は上記背景より、作業架台の屋根面上への設置時に屋根面に接合される側の端部の変形に対する安定性を高め、端部の位置決めをし易くする形態の傾斜面用作業架台を提案するものである。
【課題を解決するための手段】
【０００８】
請求項１に記載の発明の傾斜面用作業架台は、並列する縦材とこの縦材をその軸方向両側寄りにおいて互いにつなぐ縦つなぎ材から方形状に組まれ、下側の前記縦つなぎ材が傾斜面上に載置可能な縦枠体と、並列する横材とこの横材をその軸方向両側寄りにおいて互いにつなぐ横つなぎ材から方形状に組まれ、一方の前記横つなぎ材が傾斜面上に載置可能な横枠体とを備え、前記横枠体が前記横材において前記縦枠体の前記縦材に水平軸回りに回転自在に連結されていることを構成要件とする。
【０００９】
縦枠体２の縦材２１の「縦」は使用時に鉛直方向、またはほぼ鉛直方向を向くことを意味し、「その軸方向両側寄り」は軸方向両端部、または端部より軸方向中心部寄りの位置を含めた範囲を指す。この並列する縦材２１、２１の両端部寄り間に縦つなぎ材２２、２３が架設され、その端部が縦材２１、２１に接合されることで、図２−（ａ）に示す方形状の縦枠体２が形成される。「並列する縦材２１、２１」は必ずしも２本である必要はなく、組み合わせられる横枠体３の並列する横材３１、３１との干渉（衝突）が生じない範囲で、３本以上であることもある。
【００１０】
請求項１における「下側の縦つなぎ材」は図１、図４に示すように縦枠体２の使用時に下側、すなわち傾斜面５側に位置する縦つなぎ材２２を指し、縦枠体２はこの下側の縦つなぎ材２２において傾斜面５上に載置され、支持される。「傾斜面５」は主に傾斜した屋根面を指すが、屋根面以外の屋外、または屋内の傾斜面全般を含む。下側の縦つなぎ材２２は基本的には直接、傾斜面５に接合されて支持されるが、間接的に接合される場合もある。下側の縦つなぎ材２２が傾斜面５に直接、接合される場合、傾斜面５上での安定上、縦つなぎ材２２は縦材２１、２１端部の傾斜面５側に接合される。請求項１における「載置可能」とは、傾斜面５上に直接、もしくは間接的に載置され、支持（接合）されることを言う。
【００１１】
横枠体３の横材３１の「横」は使用時に水平方向、またはほぼ水平方向を向くことを意味し、「その軸方向両側寄り」は軸方向両端部、または端部より軸方向中心部寄りの位置を含めた範囲を指す。この並列する横材３１、３１の両端部寄り間に横つなぎ材３２、３２が架設され、その端部が横材３１、３１に接合されることで、図２−（ｂ）に示す方形状の横枠体３が形成される。「並列する横材３１、３１」は必ずしも２本である必要はなく、組み合わせられる縦枠体２の並列する縦材２１、２１との干渉が生じない範囲で、３本以上であることもある。
【００１２】
請求項１における「一方の横つなぎ材」は水平方向を向いた横枠体３の使用時に傾斜面５に接触する側、すなわち傾斜面５側（上流側）に位置する横つなぎ材３２を指し、横枠体３はこの一方の横つなぎ材３２において傾斜面５上に載置され、支持される。この一方の横つなぎ材３２も基本的には直接、傾斜面５に接合されて支持されるが、間接的に接合される場合もある。一方の横つなぎ材３２が傾斜面５に直接、接合される場合、傾斜面５上での安定上、この横つなぎ材３２は横材３１、３１端部の傾斜面５側に接合される。
【００１３】
縦枠体２と横枠体３は共に方形状に形成される（組まれる）ため、図１、図３に示すように共に方形状の形態のまま互いに組み合わせられ、水平軸回りに回転自在に連結される。具体的には横枠体３の並列する横材３１、３１が縦枠体２の並列する縦材２１、２１を幅方向両側から挟み込むか、並列する縦材２１、２１が並列する横材３１、３１を挟み込み、互いに直接、または距離を置いて重なる縦材２１と横材３１を水平軸となるボルト、ピン等の連結材４が水平方向に貫通する。
【００１４】
縦枠体２の並列する縦材２１、２１と横枠体３の並列する横材３１、３１のいずれか一方が他方を並列する方向に挟み込むため、並列する横材３１、３１の内法が並列する縦材２１、２１の外法以上であるか、並列する縦材２１、２１の内法が並列する横材３１、３１の外法以上である。前者の場合、横材３１、３１が縦材２１、２１を挟み込み、後者の場合、縦材２１、２１が横材３１、３１を挟み込む。縦枠体２と横枠体３の寸法上の制約は「並列する横材３１、３１の内法が並列する縦材２１、２１の外法以上であるか、並列する縦材２１、２１の内法が並列する横材３１、３１の外法以上であること」だけであり、縦枠体２（縦材２１）と横枠体３（横３１材）の全長が等しいか否かは問われない。
【００１５】
縦枠体２と横枠体３は共に方形状のまま組み合わせられ、互いに重なる縦材２１と横材３１を貫通する水平軸回りに回転自在に連結されることで作業架台１が構成され、傾斜面５側（下側）の縦つなぎ材２２と傾斜面５側（一方）の横つなぎ材３２が傾斜面５に直接、もしくは間接的に接触し、接合されることで、作業架台１が傾斜面５に支持された図１に示す使用状態になる。作業架台１の使用状態では傾斜面５側に位置する下側の縦つなぎ材２２と一方の横つなぎ材３２が傾斜面５に着脱自在に接合されるが、前記のように間接的に接合されることもある。
【００１６】
傾斜面５側に位置する縦つなぎ材２２と横つなぎ材３２が傾斜面５に直接、接合されるか、間接的に接合されるかに関係なく、傾斜面５への接合箇所は傾斜面５側の縦つなぎ材２２と横つなぎ材３２の少なくとも２箇所で済むため、作業架台１の傾斜面５への接合（固定）作業が単純化される。前記した特許文献１では傾斜面に沿って傾斜し、架台の幅方向に並列する基棒の軸方向両端部の計４箇所での接合が必要であり、特許文献２でも傾斜面に接地する部品の４箇所での接合が必要であるが、本発明ではこれらの両特許文献より少ない接合箇所数で済むことになる。
【００１７】
縦枠体２と横枠体３が組み合わせられ、互いに縦材２１と横材３１において回転自在に連結され、傾斜面５側の縦つなぎ材２２と横つなぎ材３２が傾斜面５に接合された状態では、図１に示すように作業架台１を縦枠体２と横枠体３の幅方向に見たとき、傾斜面５側の縦つなぎ材２２と横つなぎ材３２の各傾斜面５への接合部分間と、横材３１の全長と、縦材２１の傾斜面５側の接合部分と横材３１との連結部分間がトラスを形成し、縦枠体２と横枠体３の面外方向の安定性を確保する。
【００１８】
横枠体３の幅方向（横つなぎ材３２の長さ方向）には、横枠体３は方形状に閉じた形をし、傾斜面５側の並列する横材３１、３１間の間隔が保持されていることで、傾斜面５への接合部分の接合前の時点から変形しにくい状態にあるため、横枠体３の幅方向の安定性も確保されている。
【００１９】
縦枠体２と横枠体３が共に方形状のまま組み合わせられて作業架台１が構成されることで、横枠体３の並列する横材３１、３１の傾斜面５側の先端が（一方の）横つなぎ材３２で互いに結ばれ、拘束されているため、横材３１の傾斜面５側の先端が水平方向にも鉛直方向にも安定し易く、変形しにくい状態に保持される。この結果、作業架台１の傾斜面５上への設置時に横材３１、３１の、傾斜面５に接合される側の端部の、傾斜面５への接合位置を特定し易く、位置決めがし易くなる。
【００２０】
縦枠体２と横枠体３が連結され、傾斜面５側の縦つなぎ材２２と横つなぎ材３２が傾斜面５に接合された作業架台１の使用状態では、横枠体３上に作業用の、または通路としての足場（作業床）９が設置されることから、図４に示すように横枠体３、あるいは足場９を支持する並列する横材３１、３１の上面は水平面をなすように、縦枠体２と横枠体３が組み合わせられることが適切である。
【００２１】
但し、傾斜面５の水平面に対する傾斜角度は使用対象毎に相違するため、縦材２１と横材３１を連結する水平軸としての連結材４が貫通する挿通孔２１ａ、３１ａが縦材２１と横材３１のそれぞれに１箇所しかなければ、傾斜面５の傾斜角度の相違に追従しながら、横枠体３を水平にした状態で縦枠体２に接合することができないことが想定される。
【００２２】
そこで、縦枠体２の縦材２１に、横枠体３の横材３１が回転自在に連結されるための挿通孔２１ａを縦材２１の軸方向に間隔を置いて複数個、形成すれば（請求項２）、傾斜面５の傾斜角度の相違に追従しながら、横枠体３を水平にした状態で縦枠体２に接合することが可能になる。
【００２３】
縦材２１の横材３１との連結箇所が一定（縦材２１の挿通孔２１ａが１箇所）であるとし、横枠体３を傾斜面５上に水平に設置するとすれば、縦材２１から横材３１の傾斜面５への接合部分（一方の横つなぎ材２２）までの距離は、傾斜面５の傾斜角度が小さいときに大きく、傾斜角度が大きいときに小さくなり、この距離の相違に追従するには、横材３１の挿通孔３１ａを横材３１の軸方向に複数個、形成することが必要になる（請求項３）。但し、傾斜面５の傾斜角度が大きい場合、縦材２１から一方の横つなぎ材２２までの距離が小さくなるため、横枠体３上に横材３１の軸方向に、足場９等を敷設するための十分な幅を確保できないこともある。
【００２４】
そこで、縦材２１の挿通孔２１ａが縦材２１の軸方向に間隔を置いて複数個、形成されていれば（請求項２）、横枠体３を水平に維持したまま、横材３１を縦材２１の下方寄りに接合することも、上方寄りに接合することもできるため、傾斜面５の傾斜角度の相違に無関係に、横枠体３を水平に維持し、縦材２１から一方の横つなぎ材２２までの距離を一定に保持したまま、縦枠体２に接合することができる。横材３１は傾斜面５の傾斜角度が小さい場合には縦材２１の下方寄りに接合され、傾斜角度が大きい場合には縦材２１の上方寄りに接合される。
【００２５】
この場合、横材３１の挿通孔３１ａが１箇所である場合、傾斜面５の傾斜角度とは無関係に、縦材２１から一方の横つなぎ材２２までの距離は一定になるが、挿通孔３１ａが１箇所である必要はない。挿通孔２１ａが縦材２１の軸方向に複数個、形成された場合（請求項２）に、挿通孔３１ａが横材３１の軸方向に複数個、形成されれば（請求項３）、横枠体３を水平に維持したまま、縦材２１から一方の横つなぎ材２２までの距離を調整することも可能になる。
【００２６】
横材３１の挿通孔３１ａは、縦材２１の挿通孔２１ａが１箇所しかない場合にも、軸方向に間隔を置いて複数個、形成されることがある。縦材２１の挿通孔２１ａが１箇所でありながら、横材３１の挿通孔３１ａが軸方向に複数個、形成されること（請求項３）には、例えば傾斜面５の傾斜角度が一定の場合で、横枠体３を水平に設置する場合に、上記のように縦材２１から横材３１の傾斜面５への接合部分までの距離を変化させる（調整する）ことの意味があり、足場９の幅の変化に対応できる意味がある。
【００２７】
縦枠体２と横枠体３は共に方形状であるから、縦材２１両側の縦つなぎ材２２、２３は並列する縦材２１、２１間に跨る長さを持ち、横材３１両側の横つなぎ材３２、３３は並列する横材３１、３１に跨る長さを持てばよい。但し、縦枠体２と横枠体３の運搬や梱包等のし易さ等を考慮してそれぞれの幅寸法を抑えた場合に、下側の縦つなぎ材２２が並列する縦材２１、２１間に跨る長さで、一方の横つなぎ材３２が並列する横材３１、３１間に跨る長さである場合には、傾斜面５上への作業架台１の設置状態での転倒、あるいは浮き上がりに対する安定性が低下することが想定される。ここで言う「転倒」は作業架台１が傾斜面５側の縦つなぎ材２２と横つなぎ材３２の軸方向のいずれか一方の端部の回りに幅方向に回転しようとすることを言い、「浮き上がり」は転倒時に上向きに移動することを言う。
【００２８】
そこで、縦枠体２と横枠体３の傾斜面５側の縦つなぎ材２２と横つなぎ材３２に、それぞれ並列する縦材２１、２１と並列する横材３１、３１より幅方向外側へ張り出す長さを与えることで（請求項４）、傾斜面５に接合され、支持された状態にある縦つなぎ材２２と横つなぎ材３２が転倒に対して抵抗することができるため、転倒に対する安定性を高めることが可能になる。詳しくは、縦枠体２の下側の縦つなぎ材２２が並列する縦材２１、２１より縦枠体２の幅方向外側へ張り出し、横枠体３の一方の横つなぎ材３２が並列する横材３１、３１より横枠体３の幅方向外側へ張り出す。言い換えれば、下側の縦つなぎ材２２が縦材２１、２１の外法より長く、一方の横つなぎ材３２が横材３１、３１の外法より長い。
【００２９】
この場合、傾斜面５側の縦つなぎ材２２と横つなぎ材３２の軸方向両端部が並列する縦材２１、２１と並列する横材３１、３１より幅方向外側へ張り出すことで、縦枠体２と横枠体３が傾斜面５に接合されたときに、傾斜面５側の縦つなぎ材２２と横つなぎ材３２が縦枠体２と横枠体３の幅方向外側へ張り出して傾斜面５に接触（密着）した状態になる。この結果、縦枠体２と横枠体３の幅方向の外力に対し、縦つなぎ材２２と横つなぎ材３２の張り出し部分（区間）が傾斜面５から反力を受けることができるため、縦枠体２と横枠体３の幅方向の外力（転倒）に対する安定性が確保される。
【００３０】
この場合にはまた、傾斜面５側の縦つなぎ材２２と横つなぎ材３２に張り出し部分（区間）が形成されることで、この張り出し部分に図２に示すように傾斜面５への接合用の挿通孔２２ａ、３２ａを形成することができる。この挿通孔２２ａ、３２ａを縦つなぎ材２２と横つなぎ材３２の軸方向両端寄りに、または両端寄りから形成すれば、縦枠体２と横枠体３に転倒させようとする外力が作用し、接合用のボルト等の連結材４に引張力が作用したときの反力の抵抗モーメントを最大にすることが可能になる利点もある。
【００３１】
抵抗モーメントは作業架台１を縦つなぎ材２２と横つなぎ材３２の軸方向のいずれか一方の端部の回りに転倒させようとする外力に抵抗するモーメントであり、大きさは縦つなぎ材２２と横つなぎ材３２の前記一方の端部からの距離に比例するから、挿通孔２２ａ、３２ａ（連結材４）の位置がその端部から遠い程、大きくなる。
【発明の効果】
【００３２】
方形状に組まれた縦枠体と横枠体を共に方形状のまま組み合わせて作業架台を構成することで、横枠体の並列する横材の傾斜面側の先端を（一方の）横つなぎ材で互いに結び、拘束した状態に保持するため、横材の傾斜面側の先端を水平方向にも鉛直方向にも安定させ、変形しにくい状態に保持することができる。この結果、作業架台の傾斜面上への設置時に横材の、傾斜面に接合される側の端部の、傾斜面への接合位置を特定し易く、位置決めが易くすることができる。
【図面の簡単な説明】
【００３３】
【図１】図２−（ａ）に示す縦枠体と図２−（ｂ）に示す横枠体を組み合わせて作業架台を組み立てた様子を示した、幅方向に見たときの立面図である。
【図２】（ａ）は縦枠体の製作例を示した立面図であり、図１のｘ−ｘ線矢視図である。（ｂ）は横枠体の製作例を示した平面図であり、図１のｙ−ｙ線矢視図である。
【図３】図１、図２に示す縦枠体と横枠体を作業架台として組み立てる前の組み合わせ状態を示した斜視図である。
【図４】傾斜面上に図３に示す縦枠体と横枠体を作業架台として組み立て、作業架台を傾斜面の桁行方向（作業架台の幅方向）に間隔を置いて配列した様子を示した斜視図である。
【図５】傾斜面の桁行方向に間隔を置いて配列した図４に示す複数個の作業架台上に足場を連続的に敷設した様子を示した斜視図である。
【発明を実施するための形態】
【００３４】
図２−（ａ）、（ｂ）は並列する縦材２１、２１と縦材２１、２１をその軸方向両側寄りにおいて互いにつなぐ縦つなぎ材２２、２３から方形状に組まれ、下側の縦つなぎ材２２が傾斜面５上に載置可能な縦枠体２と、並列する横材３１、３１と横材３１、３１をその軸方向両側寄りにおいて互いにつなぐ横つなぎ材３２、３３から方形状に組まれ、一方の横つなぎ材３２が傾斜面５上に載置可能な横枠体３の製作例を示す。縦枠体２と横枠体３は図１に示す作業架台１を構成する。傾斜面５は屋根面以外の場合もあるが、主には傾斜した屋根面である。符号２３は傾斜面５と反対側の上側の縦つなぎ材を、符号３３は他方側である傾斜面５と反対側（縦枠体２側）の横つなぎ材を指す。
【００３５】
縦材２１と縦つなぎ材２２、２３及び横材３１と横つなぎ材３２、３３の材料は作業架台１として使用上する上で、必要な圧縮強度と引張強度を有すれば問われないが、主に組立と解体の作業性等の面から鋼材やアルミニウム合金等の金属、プラスチック等で製作される。圧縮力と引張力を負担する少なくとも縦材２１と横材３１には一定程度の曲げ剛性と捩り剛性を持たせるために、Ｌ形断面等の形鋼、または押出形材を使用しているが、縦材２１等の断面形状はこれには限られず、溝形断面やＴ形断面、あるいは平板状等に形成されることもある。図面では縦つなぎ材２２、２３と横つなぎ材３２、３３を含め、全構成材にＬ形断面材を使用している。
【００３６】
傾斜面５に接合される下側の縦つなぎ材２２と一方の横つなぎ材３２はそれぞれ縦材２１の軸方向の端部と横材３１の軸方向の端部に接合されながら、傾斜面５に接触する（接合される）ため、図面では特に接合の面から下側の縦つなぎ材２２と一方の横つなぎ材３２に２方向に接合片を有するＬ形断面材を使用している。図１に示す縦枠体２と横枠体３の組み立て状態では、傾斜面５の反対側に位置する上側の縦つなぎ材２３と他方の横つなぎ材３３はそれぞれ縦材２１の軸方向の端部と横材３１の軸方向の端部に接合されるだけであるから、必ずしも２方向に接合片を有する形状をする必要はない。「他方の横つなぎ材３３」は縦枠体２の縦材２１に水平軸回りに回転自在に接合される側で横材３１、３１間に架設される横つなぎ材３３である。
【００３７】
図１は図２に示す縦枠体２と横枠体３から組み立てられる作業架台１の組立例を示す。図面では縦枠体２を構成する縦材２１と横枠体３を構成する横材３１が共に２本の場合の例を示しているが、縦材２１と横材３１はそれぞれ２本とは限らない。横枠体３は幅方向両側に位置する２本の横材３１、３１において縦枠体２の幅方向両側に位置する縦材２１、２１に水平軸回りに回転自在に組み合わせられる。互いに重なる横材３１と縦材２１は両者を貫通する水平軸となるねじ（ボルト）やピン等の連結材４を用いて連結される。「回転自在に連結されること」は分離自在に連結されることを含む。
【００３８】
図面では図２−（ａ）、（ｂ）に示すように並列する横材３１、３１の内法が並列する縦材２１、２１の外法より大きく、横材３１、３１が縦材２１、２１を挟み込む場合の例を示しているが、並列する縦材２１、２１の内法が並列する横材３１、３１の外法より大きい場合もある。
【００３９】
各縦材２１と各横材３１には連結材４が挿通する挿通孔２１ａ、３１ａがそれぞれ形成されるが、傾斜面５の傾斜角度の相違に関係なく、横枠体３を傾斜面５上に水平に設置しながら、連結材４（横材３１の縦材２１との連結箇所）と一方の横つなぎ材３２の傾斜面５への接合箇所までの距離を一定以上、確保するには、縦材２１の挿通孔２１ａは図１に示すように軸方向に間隔を置いて複数個、形成される。
【００４０】
挿通孔２１ａが縦材２１の軸方向に複数個、形成されることで、傾斜面５の傾斜角度が小さい場合に下方寄りの挿通孔２１ａを使用し、傾斜角度が大きい場合に上方寄りの挿通孔２１ａを使用すれば、横枠体３を傾斜面５上に水平に架設しながら、連結材４と一方の横つなぎ材３２までの距離を一定に保つことができる。また横材３１の挿通孔３１ａも横材３１の軸方向に間隔を置いて複数個、形成されていれば、横枠体３を水平に維持しながら、連結材４と一方の横つなぎ材３２までの距離を調整することができ、図５に示す足場９の幅の相違に対応することができる。
【００４１】
縦枠体２の縦材２１の軸線は作業架台１としての使用状態では鉛直方向を向くが、傾斜面５側である下側の縦つなぎ材２２は傾斜面５に接地し、直接、もしくは間接的に接合されるため、傾斜面５の傾斜角度に対応し、水平に対して傾斜した面（接合片）を有する。具体的には下側の縦つなぎ材２２は縦材２１の軸線が鉛直方向を向いた使用状態のときに、傾斜面５への接触面（接合片）が水平に対して傾斜した角度をなして縦材２１に溶接やボルト等により接合されている。
【００４２】
詳しくは、上記のように下側の縦つなぎ材２２がＬ形断面材の場合、縦つなぎ材２２は図１に示すように傾斜面５に平行な方向（見込み方向）、または平行に近いを向く見込み片２２１とそれに垂直な方向を向く見付け片２２２を持つが、縦つなぎ材２２が傾斜面５に直接、接合される場合、図２−（ａ）に示すように傾斜面５に面する、あるいは接する見込み片２２１に、傾斜面５に接合されるためのねじ（ボルト）等の連結材４が挿通する挿通孔２２ａが形成される。
【００４３】
同様に横枠体３の横材３１の軸線は作業架台１としての使用状態では水平方向を向くが、傾斜面５側である一方の横つなぎ材３２は傾斜面５に接地し、直接、もしくは間接的に接合されるため、傾斜面５の傾斜角度に対応し、水平に対して傾斜した面（接合片）を有する。具体的には一方の横つなぎ材３２は横材３１の軸線が水平方向を向いた使用状態のときに、傾斜面５への接触面が水平に対して傾斜した角度をなして横材３１に溶接等により接合されている。
【００４４】
一方の横つなぎ材３２がＬ形断面材の場合、横つなぎ材３２は図１に示すように傾斜面５に平行な方向、または平行に近いを向く見込み片３２１とそれに垂直な方向を向く見付け片３２２を持つが、横つなぎ材３２が傾斜面５に直接、接合される場合、図２−（ｂ）に示すように傾斜面５に面する、あるいは接する見込み片３２１に、傾斜面５に接合されるための連結材４が挿通する挿通孔３２ａが形成される。
【００４５】
図面では図１、図３に示すように縦枠体２の下側の縦つなぎ材２２に、縦枠体２の並列する縦材２１、２１より幅方向外側へ張り出す長さを与え、横枠体３の一方の横つなぎ材３２に、横枠体３の並列する横材３１、３１より幅方向外側へ張り出す長さを与え、この縦つなぎ材２２と横つなぎ材３２の張り出し部分にも挿通孔２２ａ、３２ａを形成している。
【００４６】
縦つなぎ材２２が並列する縦材２１、２１の外法より大きい長さを有し、横つなぎ材３２が並列する横材３１、３１の外法より大きい長さを有することは、縦枠体２の縦つなぎ材２２を除く幅寸法（縦材２１、２１の外法）と横枠体３の横つなぎ材３２を除く幅寸法（横材３１、３１の外法）を抑えながらも、縦つなぎ材２２と横つなぎ材３２がそれぞれ縦枠体２と横枠体３の幅寸法と同一長さの場合より作業架台１の使用状態での浮き上がり、または転倒に対する安定性を高める意味がある。
【００４７】
縦つなぎ材２２と横つなぎ材３２の、縦材２１、２１と横材３１、３１からの張り出し部分に挿通孔２２ａ、３２ａを形成することで、縦つなぎ材２２と横つなぎ材３２の傾斜面５への接合状態で作業架台１に浮き上がりを生じさせる外力に対する抵抗モーメントを大きく取ることができ、浮き上がりに対する安定性が向上する利点がある。
【００４８】
前記のように横枠体３の並列する横材３１、３１と縦枠体２の並列する縦材２１、２１はいずれか一方が他方を幅方向両側から挟み込んだ状態で、互いに直接、または距離を置いて重なる縦材２１と横材３１を水平軸である連結材４が水平方向に貫通し、連結されることにより作業架台１が組み立てられる。縦枠体２と横枠体３が連結されただけの状態では図３に示すように縦枠体２と横枠体３は水平軸である連結材４の回りに互いに回転自在であるが、図１に示すように下側の縦つなぎ材２２の見込み片２２１と一方の横つなぎ材３２の見込み片３２１が傾斜面５に接合されることにより組み立て状態で安定する。
【００４９】
図３は縦枠体２と横枠体３をそれぞれの縦材２１と横材３１を貫通する水平軸としての連結材４で連結し、折り畳んだ状態で水平面８上に設置し、縦枠体２と横枠体３を作業架台１として組み立てる前の状況を示している。この図３に示す状況では縦枠体３の上側の縦つなぎ材２３と横枠体３の他方の横つなぎ材３３が水平面８に接し、下側の縦つなぎ材２２と一方の横つなぎ材３２が水平面８から浮いた状態にある。
【００５０】
図３に示す状態からは、縦枠体２と横枠体３を図３中、左側にある下側の縦つなぎ材２２の軸線の回りに左側へ起立させ、そのまま図３中、右側にある一方の横つなぎ材３２を水平軸である連結材４の回りに左側へ回転させることで、下側の縦つなぎ材２２が傾斜面５の下流側に設置され、一方の横つなぎ材３２が傾斜面５の上流側に設置された図４、図１に示す状態になる。
【００５１】
図面では図１に示すようにＬ形断面材である下側の縦つなぎ材２２の、挿通孔２２ａを有する見込み片２２１を傾斜面５の上流側（一方の横つなぎ材３２側）へ向けて縦つなぎ材２２を縦材２１に接合し、一方の横つなぎ材３２の、挿通孔３２ａを有する見込み片３２１を傾斜面５の上流側へ向けて横つなぎ材３２を横材３１に接合しているが、各見込み片２２１、３２１をそれぞれ反対側へ向けて縦材２１と横材３１に接合することもある。
【００５２】
図示する例では縦つなぎ材２２の見込み片２２１が作業架台１に関して内側を向き、横つなぎ材３２の見込み片３２１が作業架台１に関して外側を向いている。両見込み片２２１、３２１を作業架台１に関して外側へ向けてそれぞれ縦材２１と横材３１に接合すれば、作業架台１に作用する、傾斜面５の傾斜方向に転倒させようとする外力に対し、両見込み片２２１、３２１が効果的に抵抗し易くなる利点がある。
【００５３】
下側の縦つなぎ材２２の見込み片２２１と一方の横つなぎ材３２の各見込み片３２１は図１に示すように各挿通孔２２ａ、３２ａを挿通し、表面が傾斜面５をなす屋根葺き材６を貫通し、屋根葺き材６を支持する垂木７等の骨組みに到達するねじ等の連結材４により垂木７等に接合されることで、傾斜面５に接合された状態になる。
【符号の説明】
【００５４】
１……作業架台、
２……縦枠体、２１……縦材、２１ａ……挿通孔、２２……（下側の）縦つなぎ枠材、２２１……見込み片、２２２……見付け片、２２ａ……挿通孔、２３……（上側の）縦つなぎ材、
３……横枠体、３１……横材、３１ａ……挿通孔、３２……（一方の）横つなぎ材、３２１……見込み片、３２２……見付け片、３２ａ……挿通孔、３３……（他方の）横つなぎ材、
４……連結材、
５……傾斜面、６……屋根葺き材、
７……垂木、
８……水平面、
９……足場。
【図１】
2018096116.tif 000003
【図２】
2018096116.tif 000004
【図３】
2018096116.tif 000005
【図４】
2018096116.tif 000006
【図５】
2018096116.tif 000007